(57)【要約】【課題】おみくじ購買率の少ない低年齢層に向けた、付加価値を持つおみくじを開発する。【解決手段】動植物、及び、自動車や建築物など身の回りにある人口的造形物の、ミニチュアサイズのマスコットの内部に磁石を内包し、ステンレスや金属に接着して装飾品として利用したり、あるいは遊ぶ事が出来るものにする。このマスコットの表面に袋を縫製して、おみくじを収納することにより、装飾性と遊具性を持ち、好みのマスコットを選ぶ娯楽性も加味された、新しいタイプのおみくじとなる。【選択図】　　図１
0003098710.tif 000002
【実用新案登録請求の範囲】
【請求項１】
動植物のミニチュアサイズのマスコットを、布帛を縫い合わせた中に、真綿、ポリエステル綿のいずれか、あるいは他の繊維を用いたやわらかい充填材を充填して、四辺２０ｃｍの立方体に収まる大きさに作り、マスコットの内部に磁石を内包して、ステンレスや金属に接着して装飾品として利用したり、あるいは遊ぶ事が出来るものの表面に、袋を縫製して、袋の中におみくじを、筒状又は折り畳んで収納したおみくじ。
【請求項２】
自動車や建築物など身の回りにある人口的造形物のミニチュアサイズのマスコットを、布帛を縫い合わせた中に、真綿、ポリエステル綿のいずれか、あるいは他の繊維を用いたやわらかい充填材を充填して、四辺２０ｃｍの立方体に収まる大きさに作り、マスコットの内部に磁石を内包して、ステンレスや金属に接着して装飾品として利用したり、あるいは遊ぶ事が出来るものの表面に、袋を縫製して、袋の中におみくじを、筒状又は折り畳んで収納したおみくじ。
【考案の詳細な説明】
【０００１】
【考案の属する技術分野】
本考案は磁石付きのミニチュアサイズのマスコットに収納したおみくじに関するものである。
【０００２】
【従来の技術】
従来、おみくじは古式文章による記述で、神社や仏閣で取り扱われており、購買の理由は現在と将来の運勢を占うもので、人によっては受験や商売など、生活に関連した具体的な内容を占う対象物である。読んだあとは古来よりの習わしにより、境内の木に結びつけたり、持ち帰るものである。
【０００３】
【考案が解決しようとする課題】
従来の技術で述べたおみくじは、外観的意匠が無装飾である事と、記述文章が難解である事から、主な購買者は成人であり、幼稚園生、小学生、中学生、又これと同年代層の購買者が少ない。
【０００４】
装飾品、玩具、装身具に付属したおみくじもあるが、本体とおみくじが一体化した意匠であるため、装飾品、玩具、装身具の本体とおみくじを、別個とする事が不可能である。装飾品、玩具、装身具の本体とおみくじが、別個になる意匠のものも、本体と一体化している事を前提として、企画している意匠であるため、おみくじと別個とした場合には、本体の意匠に、ある種の希薄感がある事は否めないものである。上記の理由から、おみくじが付属された商品は、購入後に急速に物的価値が減少し、消費者にとって魅力の乏しいものである。
【０００５】
本考案は、従来の技術の有するこのような問題点を打破すべく引き出されたものであり、その目的とするところは、動植物、自動車や建築物など身の回りにある人工的造形物のミニチュアサイズに、やわらかい充填材を充填したマスコットは、幼稚園生、小学生、中学生、又これと同年代層に好まれるものであり、このマスコットに収納されたおみくじを、収納部の袋から取り出しても、又収納した状態でも、マスコットの外観には極端な変化がないので、おみくじを取り出したあとは磁石部を利用した装飾性と、遊具性を持つマスコットとして、新しい存在価値が発生する。同じく、収納されたおみくじを、収納部から取り出しても、又収納した状態でも、マスコットの外観には極端な変化がない事から、おみくじが内蔵されているマスコットとして、磁石部を利用した装飾性と遊具性を持つマスコットとして、新しい存在価値が発生する。これにより、従来はおみくじの需要が少なかった、幼稚園生、小学生、中学生、又はこれと同年代層の、購買意欲を引き出し、おみくじの購入率の上昇と、購入回数の増加を促進しようとするものである。
【０００６】
【課題を解決するための手段】
上記目的を達成する為に、本考案における磁石付きマスコットに収納されたおみくじは、動植物のミニチュアサイズのマスコットを、布帛を縫い合わせた中に、真綿、ポリエステル綿のいずれか、あるいは他の繊維を用いたやわらかい充填材を充填して、四辺２０ｃｍの立方体に収まる大きさに作り、マスコットの内部に磁石を内包し、ステンレスや金属に接着して装飾品として利用したり、あるいは遊ぶ事が出来るものの表面に、袋を縫製して、袋の中におみくじを、筒状又は折り畳んで収納するものである。
【０００７】
自動車や建築物など身の回りにある人工的造形物のミニチュアサイズのマスコットを、布帛を縫い合わせた中に、真綿、ポリエステル綿のいずれか、あるいは他の繊維を用いたやわらかい充填材を充填して、四辺２０ｃｍの立方体に収まる大きさに作り、マスコットの内部に磁石を内包し、ステンレスや金属に接着して装飾品として利用したり、あるいは遊ぶ事が出来るものの表面に、袋を縫製して、袋の中におみくじを、筒状又は折り畳んで収納するものである。
【０００８】
【考案の実施の形態】
考案の実施の形態について図面を参照して説明する。
図１から図６は動植物、自動車や建築物等の人口的造形物のミニチュアサイズを、布帛を縫い合わせた中に、やわらかい充填材を入れてつくり、内部に磁石を内包したものの表面に、袋を縫製し、この中におみくじが収納されている。
【０００９】
【考案の効果】
本考案は、上述のとおり構成されているので、次に記載する効果を奏する。
【００１０】
請求１の磁石付きマスコットに収納されたおみくじにおいては、動植物のミニチュアサイズのマスコットを、布帛を縫い合わせた中に、真綿、ポリエステル綿のいずれか、あるいは他の繊維を用いたやわらかい充填材を充填して、四辺２０ｃｍの立方体に収まる大きさに作り、マスコットの内部に磁石を内包し、ステンレスや金属に接着して装飾品として利用したり、あるいは遊ぶ事が出来るものの表面に、袋を縫製して、袋の中におみくじを、筒状又は折り畳んで収納することにより、遊具性と装飾性を持ち、数種類の中から、好みのマスコットを選ぶ娯楽性が加味された、新しいタイプのおみくじとして、購入の少なかった低年齢層の、おみくじへの興味を引き出し、おみくじの訴求力の増大と、おみくじの購入回数の増加が望める。
【００１１】
請求２の磁石付きマスコットに収納されたおみくじにおいては、自動車や建築物など身の回りにある人工的造形物のミニチュアサイズのマスコットを、布帛を縫い合わせた中に、真綿、ポリエステル綿のいずれか、あるいは他の繊維を用いたやわらかい充填材を充填して、四辺２０ｃｍの立方体に収まる大きさに作り、マスコットの内部に磁石を内包して、ステンレスや金属に接着して装飾品として利用したり、あるいは遊ぶ事が出来るものの表面に、袋を縫製して、袋の中におみくじを、筒状又は折り畳んで収納する事により、遊具性と装飾性を持ち、数種類の中から、好みのマスコットを選ぶ娯楽性が加味された、新しいタイプのおみくじとして、購入の少なかった低年齢層の、おみくじへの興味を引き出し、おみくじの訴求力の増大と、おみくじの購入回数の増加が望める。
【図面の簡単な説明】
【図１】動植物のミニチュアサイズのマスコットを、布帛を縫い合わせた中に、やわらかい充填材を充填して、磁石を内包し、布帛の表面に縫製した袋に収納したおみくじの、斜視図である。
【図２】自動車や建築物など身の回りにある人工的造形物のミニチュアサイズのマスコットを、布帛を縫い合わせた中に、やわらかい充填材を充填して、磁石を内包し、布帛の表面に縫製した袋に収納したおみくじの、斜視図である。
【図３】図１の正面図である。
【図４】図３のＢ−Ｂを切断した断面図である。
【図５】図２の側面図である。
【図６】図５のＣ−Ｃを切断した断面図である。
【符号の説明】
Ａ　マスコット
Ｂ　切断線
Ｃ　切断線
１　布帛
２　袋
３　おみくじ
４　磁石
５　充填材
【図１】
0003098710.tif 000003
【図２】
0003098710.tif 000004
【図３】
0003098710.tif 000005
【図４】
0003098710.tif 000006
【図５】
0003098710.tif 000007
【図６】
0003098710.tif 000008